(57)【特許請求の範囲】
【請求項１】
コークス炉に装入する湿炭を乾燥機で目標水分まで乾燥する石炭調湿設備の運転において、（１）式に従い、乾燥機立上げ立下げ時または石炭銘柄切替え時の石炭処理量過渡期に、湿炭の水分及び乾燥機の石炭処理量の変化に応じて、調湿炭に散水を行い調湿炭の水分値を目標値に制御する事を特徴とする石炭調湿設備の運転における過乾燥防止方法。
【数１】
0003631537.tif 000004
【発明の詳細な説明】
【０００１】
【発明の属する技術分野】
本発明は、コークス炉に装入する石炭の調湿設備の運転における調湿炭の過乾燥防止方法に関するものである。
【０００２】
【従来の技術】
コークス炉操業において、湿炭を乾燥した後、コークス炉に装入する主要な利点は以下の３点が挙げられる。
【０００３】
１点目は、コークス炉よりも熱交換効率が高い石炭乾燥機で湿炭の水分及び蒸発及び予熱を行った後、それをコークス炉装入して乾留する方法の方が、湿炭を直接コークス炉に装入して乾留する方法よりも、総消費エネルギーの低減が図られる事である。
【０００４】
２点目は、湿炭の水分を調節する事により、コークス炉に装入される石炭水分のバラツキが低減され、コークス炉での消費エネルギーが低減される事である。
３点目は湿炭を乾燥する事により、コークス炉炭化室内での石炭の嵩密度が向上し石炭の粒子間隔が狭くなり、乾留過程における石炭粒子同士の結合が促進されコークス品質（ドラム強度、ＣＯ２  反応後強度）が向上する事である。
【０００５】
次に、湿炭を目標水分まで乾燥する理由を以下に述べる。
【０００６】
コークス炉に装入される石炭の水分が低い程、上述の消費エネルギー低減効果及びコークス品質向上効果は大きい。
【０００７】
一方、石炭の水分が低い程、その輸送過程及びコークス炉への装入時の発塵及びコークス炉炭化室及び上昇管へのカーボン付着等の操業上の障害も顕著になってくる。
【０００８】
よって、この利点と欠点の適当な折り合い点の石炭水分で操業する事が必要になり、湿炭は乾燥機の投入熱量を制御してある目標水分まで乾燥される。
【０００９】
ここで、乾燥機立上げ立下げ時または石炭銘柄切替え時の石炭処理量過渡期は、乾燥機の石炭処理量が短時間で大きく変化するため、乾燥機の投入熱量の制御では調湿炭水分制御が追随できず過乾燥となる。
【００１０】
これを防止する手段として、特開平６−７３３７９号公報にあっては、乾燥機から排出される調湿炭が過乾燥となる期間を予測し、その過乾燥期間だけ乾燥機から排出される調湿炭に散水する方法及び、水分計で測定した調湿炭の水分により過乾燥となる期間を判断して、その過乾燥期間だけ乾燥機から排出される調湿炭に散水する方法が開示されている。
【００１１】
【発明が解決しようとする課題】
しかしながら、特開平６−７３３７９号公報の過乾燥となる期間を予測または調湿炭の水分値より判断して調湿炭に散水する方法は、ただ単に散水のタイミングのみを図るもので、乾燥機立上げ立下げ時または石炭銘柄切替え時の石炭処理量過渡期においては、湿炭の水分及び乾燥機の石炭処理量の変化に対応して散水量を制御するものではない。
【００１２】
このため、上記の方法では、石炭処理量過渡期においてある時期には調湿炭に対する散水量が不足となりまたある時期は過剰となり、低石炭水分により石炭輸送中の発塵や高石炭水分による石炭輸送系のシュート等の閉塞の問題があった。
【００１３】
これを防止するには、石炭輸送系に集塵装置を設置したり、石炭輸送系のシュート等の掃除を頻繁に行う必要があり、設備コスト及びメンテナンス費が増大するデメリットがあった。
【００１４】
特に、１台の乾燥機で複数銘柄の石炭を処理する乾燥機の運転においては、銘柄切替えの頻度が増大し、上記の問題は重大であった。
【００１５】
本発明は、乾燥機立上げ立下げ時または石炭銘柄切替え時の石炭処理量過渡期において、上記の過乾燥となる期間を予測または調湿炭の水分値より判断して調湿炭に散水する方法に代わって、湿炭の水分及び乾燥機の石炭処理量の変化に対応して散水量を制御して調湿炭の過乾燥を防止する事を目的とする。
【００１６】
【課題を解決するための手段】
本発明は、上記の問題を解決するために、
（１）コークス炉に装入する湿炭を乾燥機で目標水分まで乾燥する石炭調湿設備の運転において、（１）式に従い、乾燥機立上げ立下げ時または石炭銘柄切替え時の石炭処理量過渡期に、湿炭の水分及び乾燥機の石炭処理量の変化に応じて、調湿炭に散水を行い調湿炭の水分値を目標値に制御する事を特徴とする石炭調湿設備の運転における過乾燥防止方法である。
【００１８】
【数２】
0003631537.tif 000002
【００１９】
【発明の実施形態】
本発明は、乾燥機立上げ立下げ時または石炭銘柄切替え時の石炭処理量過渡期において、上記の過乾燥となる期間を予測または調湿炭の水分値より判断して調湿炭に散水する方法に代わって、湿炭の水分及び乾燥機の石炭処理量の変化に対応して散水量を制御して調湿炭の過乾燥を防止するものである。
【００２０】
図１は本発明の実施態様の１例を示す概略図である。
【００２１】
乾燥機入口水分計２及び乾燥機出口秤量器３で測定された湿炭水分および乾燥機の石炭処理量に基づき（１）式に従い、散水流量演算部８にて必要散水流量を演算する。乾燥機の石炭処理量は乾燥機の入口で測定してもよい。
【００２２】
散水流量をこの演算値に制御すべく散水流量制御弁７の開度が調整され散水装置６にて調湿炭５に散水される。
【００２３】
【数３】
0003631537.tif 000003
【００２４】
（１）式に示す様に、調湿炭への散水流量Ｖは湿炭水分Ｍと乾燥機の石炭処理量の設定値との偏差（Ｇ０  −Ｇ）により変化する。
【００２５】
過乾燥を生じない範囲で最大限コークス炉の消費熱量を低減するため、調湿炭水分は、乾燥機出口で、通常５〜７％の範囲の目標値に制御する。
【００２６】
また、調湿炭に散水を行う散水ノズルは、調湿炭に均等に水を散布するため、水を扇型に散布できる機能を有するものを用い、これを１５〜２０程度千鳥型に配置するのが望ましい。
【００２７】
【実施例】
図２に本法の実施例を示す。
【００２８】
乾燥機を調湿炭量２４０ｄ−ｔ／ｈの運転における石炭銘柄切替え時に、乾燥機投入熱量は一定で、湿炭水分及び乾燥機の石炭処理量に応じて調湿炭の散水量を０〜１２５    ｌ／ｍｉｎの範囲で制御した結果、調湿炭水分は目標値（＝５．７％（乾燥機出口））±０．５％の精度で制御でき、水分過剰または過乾燥となる事なく調湿炭の過乾燥防止が達成できた。
【００２９】
従来の、過乾燥となる期間を予測または調湿炭の水分値より判断して調湿炭に散水する方法では、石炭銘柄切替え時の調湿炭水分は目標値±５％の範囲で変動し、調湿炭の過乾燥や水分過剰が生じていた。
【００３０】
【発明の効果】
以上説明した様に、本発明により、石炭調湿設備において乾燥機の石炭処理量過渡期にあっても、湿炭の水分及び乾燥器の石炭処理量の変化に応じて、調湿炭に散水を行い調湿炭の水分値を目標値に制御する事により、調湿炭の過乾燥及び水分過剰を防止し、石炭輸送中の調湿炭の発塵及びシュート等の閉塞を解消でき、石炭輸送系の集塵装置の設置やシュート等の掃除が不要となり、大幅に設備費およびメンテナンス費が削減できる。
【図面の簡単な説明】
【図１】本発明の実施態様例を説明する装置例の構成図。
【図２】本発明による石炭銘柄切替え時の調湿炭水分制御結果の例を示す図。
【符号の説明】
１…湿炭                        ２…乾燥機入口水分計
３…乾燥機出口秤量器            ４…乾燥機
５…調湿炭                      ６…散水装置
７…散水流量制御弁              ８…散水流量演算部
Ｇ…乾燥機の石炭処理量［ｔ／ｈ］
Ｇ０  …定常時の乾燥機の石炭処理量設定値［ｔ／ｈ］
Ｖ…調湿炭への散水流量［ｌ／ｍｉｎ］
Ｍ…湿炭水分［％］
α…定数［−］
【図１】
0003631537.tif 000005
【図２】
0003631537.tif 000006